(57)【要約】【課題】比較的簡素な構造であって、操作も簡単であり、調和空気の吹出方向に指向性を持たせることが可能な床吹出口を提供する。【解決手段】床吹出口１００は、複数の外通気口１１を有する円筒形状のケーシング１０と、ケーシング１０に内接した状態で軸心１０ｃ中心に回転可能に配置され内通気口２１及び突起部材２２を有するシャッタ部材２０と、シャッタ部材２０を回転させるモータと、シャッタ部材２０の上方に配置されたデフレクタ４０と、デフレクタ４０上方のケーシング１０の開口部１０ａに配置されたフェースに着脱可能に配置されたスリット６１付きの吹出グリル６０と、モータの制御手段と、を備えている。デフレクタ４０は、ケーシング１０横断方向に平行配列され連接部材４５により連動して傾動する複数の羽根４１，４２，４３と、羽根４１から突起部材２２に当接可能に延設された脚部４８と、を有する。【選択図】図５
2019190743.tif 000002
【特許請求の範囲】
【請求項１】
建物内の執務者の座席付近の床面に配置される床吹出口であって、
上端に開口部を有する円筒形状をなし、その周壁に円周方向に沿って所定間隔をおいて開設された複数の外通気口を有するケーシングと、
前記ケーシングに内接した状態で前記ケーシングの軸心と同軸上に配置され、前記軸心を中心に回転可能に配置された短円筒体と、前記短円筒体の周壁に複数の前記外通気口と同位相に開設された複数の内通気口と、前記短円筒体の上面の前記ケーシングの周壁寄りの領域に上方に向かって突設され、前記回転方向に沿った所定長さの平面部を有する突起部材と、を有するシャッタ部材と、
前記シャッタ部材を、前記軸心を中心に回転させる駆動手段と、
前記シャッタ部材の上方に、前記ケーシングの横断面方向に所定間隔をおいて平行に配列され、連接部材により連動して傾動する複数の羽根と、少なくとも１枚の前記羽根から前記突起部材に当接可能に延設された脚部と、を有するデフレクタと、
前記デフレクタの上方に位置する前記ケーシングの開口部に配置され、フェースに着脱可能に取り付けられたスリット付きの吹出グリルと、
前記駆動手段を制御する制御手段と、を備えた床吹出口。
【請求項２】
前記吹出グリルが複数のスリットを有し、前記フェースに対する前記吹出グリルの設置姿勢が前記ケーシングの軸心周りの回転方向に変更可能である請求項１記載の床吹出口。
【請求項３】
前記フェースに対する前記吹出グリルの設置姿勢を設定する係脱可能な凹凸嵌合機構を前記フェースと前記吹出グリルとの接触領域に複数設けた請求項２記載の床吹出口。
【請求項４】
前記制御手段の一部として、前記駆動手段の作動・停止操作を行うコントローラを備えた請求項１〜３の何れかの項に記載の床吹出口。
【請求項５】
前記吹出グリルに接近する人間を識別する識別手段を設け、前記制御手段が前記識別手段から送信される信号に基づいて前記吹出グリルから吹き出す調和空気の風向、風量の少なくとも一方を予め入力された状態に自動設定する機能を有する請求項１〜４の何れかの項に記載の床吹出口。
【請求項６】
前記制御手段に、前記識別手段が人間存在を感知すると、前記駆動手段が作動して前記シャッタ部材を前記外通気口と前記内通気口との少なくとも一部が連通する位置まで回転させて停止する機能と、
前記識別手段が人間不在を感知して所定時間経過すると、前記駆動手段が作動して前記シャッタ部材を前記外通気口と前記内通気口とが連通しない位置まで回転させて停止する機能と、を設けた請求項５記載の床吹出口。
【請求項７】
前記識別手段が、画像センサ、ＩＣタグ、赤外線センサ、Ｗｉ-Ｆｉ（登録商標）のビーコン検知、着座センサ、空気圧センサ若しくは人感センサのうちの１以上である請求項５または６記載の床吹出口。
【請求項８】
前記制御手段に、前記外通気口と前記内通気口の少なくとも一部が連通した状態が所定時間連続すると、前記駆動手段が作動して前記シャッタ部材を前記外通気口と前記内通気口とが連通しない位置まで回転させて停止する自動停止機能を設けた請求項１〜７の何れかの項に記載の床吹出口。
【請求項９】
前記制御手段に、
前記外通気口と前記内通気口の少なくとも一部が連通した状態が連続し、予め設定された所定時間に近づくと警報を発する機能と、
前記警報を発した後、手動操作により前記自動停止機能を解除する機能と、を設けた請求項８記載の床吹出口。
【請求項１０】
執務者の座席付近に配置された温度センサ、風速センサの少なくとも一方から送信される感知信号に基づいて前記吹出グリルから吹き出す調和空気の風向、風量の少なくとも一方を予め設定された状態にセットする調整手段を前記制御手段に設けた請求項１〜９の何れかの項に記載の床吹出口。
【発明の詳細な説明】
【技術分野】
【０００１】
本発明は、空調機から供給される調和空気を建物内の執務者の座席付近の床面から室内に向かって吹き出す機能を有するパーソナル空調用の床吹出口に関する。
【背景技術】
【０００２】
オフィスビルなどにおいては、床面とビル躯体との間に空間（所謂、床下空間）を設けたフリーアクセスフロアやＯＡフロアなどと呼ばれる構造が採用されている。前記床下空間はＯＡ機器用の電源・各種ケーブルなどの配線スペースや、空調設備から供給される調和空気の流路などとして利用されている。
【０００３】
前記床下空間を調和空気の流路として利用する場合、空調設備から前記床下空間内に供給された調和空気を居室の床面から室内に向かって吹き出させるため、床面に床吹出口が設けられている。
【０００４】
従来、床吹出口については様々な機能（例えば、風量調節機能や風向調節機能など）を備えたものが提案されているが、本発明に関連するものとして、例えば、特許文献１に記載された「フリーアクセスフロアにおける空調用エア吹出口」などがある。
【先行技術文献】
【特許文献】
【０００５】
【特許文献１】実公平７−２０５０６号公報
【発明の概要】
【発明が解決しようとする課題】
【０００６】
特許文献１に記載された「フリーアクセスフロアにおける空調用エア吹出口」はエア吹出口の下部に取り付けられたエアチャンバが風量調節機構及び風向調節機構を有しているが、特に、風向調節機構の構造が複雑である。
【０００７】
また、風向調節機構を構成する複数の風向調節板は、操作杆と同軸上の中空軸に放射状に取り付けられた複数の支杆にヒンジ部を介して起伏自在に取り付けられ、中空軸を回転操作すると、これらの風向調節板がそれぞれ支杆を中心に連動して傾動することにより風向を調節する、というものである。
【０００８】
このため、前記中空軸の回転操作により調節可能な、エア吹出口から吹き出す空調用エアの風向は、エア吹出口から真上に向かって吹き出す状態か、エア吹出口を中心に放射状に広がるように吹き出す状態か、あるいはこれらの方向が混合した状態の何れかに限られ、空調用エアを一方向に向かって吹き出させること（風向に指向性を持たせること）が困難である。
【０００９】
そこで、本発明が解決しようとする課題は、比較的簡素な構造であって、操作も簡単であり、調和空気の吹出方向に指向性を持たせることが可能な床吹出口を提供することにある。
【課題を解決するための手段】
【００１０】
本発明に係る床吹出口は、
建物内の執務者の座席付近の床面に配置される床吹出口であって、
上端に開口部を有する円筒形状をなし、その周壁に円周方向に沿って所定間隔をおいて開設された複数の外通気口を有するケーシングと、
前記ケーシングに内接した状態で前記ケーシングの軸心と同軸上に配置され、前記軸心を中心に回転可能に配置された短円筒体と、前記短円筒体の周壁に複数の前記外通気口と同位相に開設された複数の内通気口と、前記短円筒体の上面の前記ケーシングの周壁寄りの領域に上方に向かって突設され、前記回転方向に沿った所定長さの平面部を有する突起部材と、を有するシャッタ部材と、
前記シャッタ部材を、前記軸心を中心に回転させる駆動手段と、
前記シャッタ部材の上方に、前記ケーシングの横断面方向に所定間隔をおいて平行に配列され、連接部材により連動して傾動する複数の羽根と、少なくとも１枚の前記羽根から前記突起部材に当接可能に延設された脚部と、を有するデフレクタと、
前記デフレクタの上方に位置する前記ケーシングの開口部に配置され、フェースに着脱可能に取り付けられたスリット付きの吹出グリルと、
前記駆動手段を制御する制御手段と、を備えたことを特徴とする。
【００１１】
このような構成とすれば、制御手段により駆動手段を作動させシャッタ部材を回転させると、ケーシングの周壁寄りの領域を回転する突起部材が、デフレクタから垂下する羽根のうちケーシングの軸心の直近に位置する羽根に設けられた脚部に当接し、それを回転方向に押圧するので、脚部を有する羽根が傾斜するとともに、連接部材で繋がれた他の羽根も連動して同じ方向に傾斜する。これにより、複数の羽根の間を通過する調和空気の風向が変化するので、吹出グリルから吹き出す調和空気の風向を変更（調節）することができる。また、複数の羽根は同じ方向に傾斜するので、調和空気の吹出方向に指向性を持たせることが可能である。
【００１２】
突起部材が羽根の脚部に当接した後もシャッタ部材を回転させると、突起部材と当接した脚部は、傾斜姿勢を保った状態で突起部材の平面部上を摺動していくので、脚部が平面部から離脱するまで複数の羽根は同様に傾斜姿勢を保ち続けるが、ケーシングの外通気口と、シャッタ部材の内通気口と、が互いに重なり合う領域（連通領域）は徐々に狭まっていく。これにより、前記連通領域を通過してケーシング内へ流入する調和空気は減少していくので、吹出グリルから吹き出す調和空気の風量を減少させることができる。
【００１３】
従って、シャッタ部材の回転を所定位置で停止すれば、調和空気のケーシング内への調和空気の流入量は、ケーシングの外通気口とシャッタ部材の内通気口との連通領域の開口面積に対応した流入量となる。このように、シャッタ部材の停止位置を変更することにより、吹出グリルから吹き出す調和空気の風量を変更（調節）することができる。
【００１４】
このように、本発明に係る床吹出口は一つの駆動手段を稼働させるという簡単な操作により、調和空気の風向並びに風量を変更（調節）することができ、シャッタ部材の回転により風量並びに風向を変更（調節）可能な機構を設けているため、構造も比較的簡素である。
【００１５】
前記床吹出口においては、前記吹出グリルが複数のスリットを有し、前記フェースに対する前記吹出グリルの設置姿勢が、前記ケーシングの軸心周りの回転方向に変更可能であることが望ましい。
【００１６】
このような構成とすれば、フェースに対する吹出グリルの設置状態をケーシングの軸心周りの回転方向に変更することにより、複数のスリットの方向を変化させることができるので、吹出グリルから吹き出す調和空気の風向を変更することができる。また、前述したデフレクタによる風向調節機能と、吹出グリルによる風向調節機能とを組み合わせれば、さらに細かな風向調節を行うことができる。
【００１７】
前記床吹出口においては、前記フェースに対する前記吹出グリルの設置姿勢を設定する係脱可能な凹凸嵌合機構を前記フェースと前記吹出グリルとの接触領域に複数設けることが望ましい。
【００１８】
このような構成とすれば、フェースに対する吹出グリルの設置姿勢を規則的に変更することができ、デフレクタにより風向調整された気流が、さらに、フェースの複数のスリットにより風向調整することができる。具体的には、スリット長手方向とデフレクタの羽根が直交する姿勢に吹出グリルを設置すれば、気流はデフレクタの動作によりスリット長手方向に沿った指向性の強い気流となる。また、スリット長手方向とデフレクタの羽根が４５度の関係となるように吹出グリルを設置すれば、前述した場合よりも、やや指向性が緩和された気流となり、執務者の好みに応じて気流感を調整することができる。そのほか、フェースに対する吹出グリルの設置状態も安定する。
【００１９】
前記床吹出口においては、前記制御手段の一部として、前記駆動手段の作動・停止操作を実行可能なコントローラを備えることが望ましい。
【００２０】
このような構成とすれば、執務者が前記コントローラを操作することにより、吹出グリルから吹き出す調和空気の風向、風量を執務者の好みに応じて容易に調節することが可能となる。
【００２１】
前記床吹出口においては、前記吹出グリルに接近する人間を識別する識別手段を設け、前記制御手段が、前記識別手段から送信される信号に基づいて前記吹出グリルから吹き出す調和空気の風向、風量の少なくとも一方を予め入力された状態に自動設定する機能を有することが望ましい。
【００２２】
このような構成とすれば、床吹出口を構成する吹出グリルからパーソナル空間（建物内の執務者の座席付近の空間）に向かって吹き出す調和空気の風向や風量を、個人の好みに応じた状態に自動設定することができる。
【００２３】
前記床吹出口においては、前記制御手段に、
前記識別手段が人間存在を感知すると、前記駆動手段が作動して前記シャッタ部材を前記外通気口と前記内通気口との少なくとも一部が連通する位置まで回転させて停止する機能と、
前記識別手段が人間不在を感知して所定時間経過すると、前記駆動手段が作動して前記シャッタ部材を前記外通気口と前記内通気口とが連通しない位置まで回転させて停止する機能と、を設けることができる。
【００２４】
このような構成とすれば、前記吹出グリルの近傍に人間が接近すると自動的に調和空気が吹き出す状態となるので利便性が向上し、また、前記吹出グリルの近傍に人間が居なくなった後の不要な空調エネルギをカットすることができるので、省エネを図ることができる。
【００２５】
前記床吹出口においては、前記識別手段として、画像センサ、ＩＣタグ、赤外線センサ、Ｗｉ-Ｆｉ（登録商標）のビーコン検知、着座センサ、空気圧センサ若しくは人感センサのうちの１以上を用いることができる。
【００２６】
このような構成とすれば、前記吹出グリルに接近する人間を確実に識別することができる。
【００２７】
前記床吹出口においては、前記制御手段に、
前記外通気口と前記内通気口の少なくとも一部が連通した状態が所定時間連続すると、前記駆動手段が作動して前記シャッタ部材を前記外通気口と前記内通気口とが連通しない位置まで回転させて停止する自動停止機能を設けることができる。
【００２８】
このような構成とすれば、執務者が気づかないうちに長時間に亘って空調運転を連続すること、所謂、空調の消し忘れを防止することができる。
【００２９】
前記床吹出口においては、前記制御手段に、
前記外通気口と前記内通気口の少なくとも一部が連通した状態が連続し、予め設定された所定時間に近づくと警報を発する機能と、
前記警報を発した後、手動操作により前記自動停止機能を解除する機能と、を設けることができる。
【００３０】
このような構成とすれば、通常運転状態（前記外通気口と前記内通気口の少なくとも一部が連通した状態）が連続し、予め設定した所定時間（例えば、２時間）が近づいたことを、コントローラが発する警報によって知ることができ、その後は、コントローラの手動操作により、前記自動停止機能を解除して通常運転状態を継続するか、前記自動停止機能により停止するか、を選択することができるので、利便性が向上する。
【００３１】
前記床吹出口においては、執務者の座席付近に配置された温度センサ、風速センサの少なくとも一方から送信される感知信号に基づいて前記吹出グリルから吹き出す調和空気の風向、風量の少なくとも一方を予め設定された状態にセットする調整手段を設けることができる。
【００３２】
このような構成とすれば、吹出口からパーソナル空間に向かって吹き出す調和空気の風向、風量の少なくとも一方を、パーソナル空間の温度や風速に応じて、予め設定された状態にセットすることができる。
【発明の効果】
【００３３】
本発明により、比較的簡素な構造であって、操作も簡単であり、調和空気の吹出方向に指向性を持たせることが可能な床吹出口を提供することができる。
【図面の簡単な説明】
【００３４】
【図１】本発明の実施形態である床吹出口を正面斜め上方から見た状態を示す一部省略斜視図である。
【図２】図１に示す床吹出口を左側面及び正面を含む斜め上方から見た状態を示す一部省略斜視図である。
【図３】図１に示す床吹出口の一部省略正面図である。
【図４】図１に示す床吹出口の一部省略平面図である。
【図５】図１に示す床吹出口の一部省略分解斜視図である。
【図６】図４中のＡ−Ａ線における一部省略断面図である。
【図７】図４中のＢ−Ｂ線における一部省略断面図である。
【図８】図６中のＣ−Ｃ線における一部省略断面模式図である。
【図９】図１に示す床吹出口を構成する駆動手段の作動・停止操作を行うコントローラを示す一部省略正面図である。
【図１０】図９に示すコントローラの一部省略右側面図である。
【図１１】図１に示す床吹出口の動作状態を示す一部省略垂直断面図である。
【図１２】床吹出口が図１１に示す状態にあるときの一部省略分解斜視図である。
【図１３】図１に示す床吹出口の動作状態を示す一部省略垂直断面図である。
【図１４】図１に示す床吹出口の動作状態を示す一部省略垂直断面図である。
【図１５】図１に示す床吹出口の動作状態を示す一部省略垂直断面図である。
【図１６】図１に示す床吹出口の動作状態を示す一部省略垂直断面図である。
【図１７】床吹出口が図１６に示す状態にあるときの一部省略分解斜視図である。
【図１８】図１に示す床吹出口を構成するフェース及び吹出グリルを示す一部省略斜視図である。
【図１９】（ａ）〜（ｃ）は図１８に示すフェースに対する吹出グリルの設置姿勢の変更状態を示す一部省略平面図である。
【発明を実施するための形態】
【００３５】
以下、図１〜図１９に基づいて、本発明の実施形態である床吹出口１００について説明する。
【００３６】
図１〜図８に示すように、本実施形態の床吹出口１００は、ケーシング１０と、シャッタ部材２０と、駆動手段３０と、デフレクタ４０と、フェース５０と、吹出グリル６０と、を備えている。なお、図１において、後述するケーシング１０の軸心１０ｃと平行な矢線Ｕ方向を「上または上方」と称し、同じく軸心１０ｃと平行な矢線Ｄ方向を「下または下方と称する（以下、同様である）。
【００３７】
図５に示すように、ケーシング１０は、上端に開口部１０ａを有する円筒形状をなし、その周壁１０ｂに円周方向に沿って所定間隔をおいて開設された複数の外通気口１１を有する。開口部１０ａの周囲には円形のフランジ１０ｄが形成されている。図８に示すように、４個の外通気口１１は、ケーシング１０の軸心１０ｃを中心に９０度間隔で開設されている。４個の外通気口１１は、それぞれ周壁１０ｂにおいて軸心１０ｃを中心とする中心角Ｓ（本実施形態ではＳ＝４５度）の円弧に沿った範囲に開設されている。
【００３８】
図５〜図８に示すように、シャッタ部材２０は、ケーシング１０に内接した状態でケーシング１０の軸心１０ｃと同軸上に配置され、軸心１０ｃを中心に回転可能に配置された短円筒体２０ａと、短円筒体２０ａの周壁２０ｂに複数（４個）の外通気口１１と同位相に開設された複数（４個）の内通気口２１と、短円筒体２０ａの上面のケーシング１０の周壁１０ｂ寄りの領域に上方に向かって突設され、回転方向Ｒ（図８参照）に沿った所定長さの平面部２２ａを有する突起部材２２と、を有する。
【００３９】
図８に示すように、突起部材２２は短円筒体２０ａの軸心２０ｃ（軸心１０ｃと同軸）を中心とする中心角Ｔ（本実施形態ではＴ＝９０度）の円弧に沿った範囲に配置されている。突起部材２２の平面部２２ａの平面視形状は、軸心２０ｃを中心とする中心角９０度の円弧に沿った扇形状（セグメント形状）をなしている。
【００４０】
図６，図７に示すように、シャッタ部材２０を、軸心１０ｃ（２０ｃ）を中心に回転させる駆動手段であるモータ３０がケーシング１０の内部の下方寄りの部分に配置されている。モータ３０の回転は、モータ３０の上方に配置された減速機構３１を経由し、駆動軸３２によってシャッタ部材２０に伝達される。
【００４１】
図５〜図７に示すように、ケーシング１０内においてシャッタ部材２０の上方に配置されたデフレクタ４０は、ケーシング１０内に横断方向（軸心１０ｃと直交する方向）に配置された円板状の隔壁部材４６と、隔壁部材４６に開設された通気口４７の内部に配置された複数（６本）の羽根４１，４１，４２，４２，４３，４３と、連接部材４５と、を備えている。
【００４２】
隔壁部材４６の通気口４７の内部には、ケーシング１１０の横断方向（軸心１０ｃと直交する方向）に沿って所定間隔をおいて複数（６本）の支軸４４が配置され、６本の支軸４４に、それぞれ垂下した状態で且つ支軸４４を中心に傾動可能な状態で複数（６枚）の羽根４１，４１，４２，４２，４３，４３が取り付けられている。また、羽根４１，４１，４２，４２，４３，４３を連動して傾動させるための連接部材４５が、羽根４１，４１，４２，４２，４３，４３を貫通する方向に配置されている。
【００４３】
羽根４１，４１は軸心１０ｃを挟んで鏡面対称をなすように配置され、羽根４２，４２は羽根４１，４１を挟んで鏡面対称をなすように配置され、羽根４３は羽根４２，４１，４１，４２を挟んで鏡面対称をなすように配置されている。また、最も軸心１０ｃ近くに位置する２枚の羽根４１，４１の両側縁から下方に向かってそれぞれ一対の脚部４８，４８が延設されている。脚部４８，４８は羽根４１の両側部から短冊状に垂下しており、その下端部寄りの部分は、後述するように、シャッタ部材２０の回転に伴って回転しながら接近してくる突起部材２２に当接可能である。
【００４４】
図５〜図７に示すように、デフレクタ４０の上方に位置するケーシング１０の開口部１０ａには円環状のフェース５０が配置され、フェース５０の内周側に形成された円形の段差部５１内に、円板状の吹出グリル６０が着脱可能に嵌入されている。吹出グリル６０には、平面視形状が先端が丸い短冊状をなす複数のスリット６１が所定間隔をおいて互いに平行に開設されている。複数のスリット６１は何れも吹出グリル６０を厚さ方向に貫通している。本実施形態において、複数のスリット６１は互いに平行をなすように開設されているが、これに限定するものではないので、複数のスリットが非平行状態に開設された吹出グリルを用いることもできる。
【００４５】
図１〜図４に示す床吹出口１００においては、駆動手段であるモータ３０の作動・停止などの操作を行うため、図９，図１０に示すようなコントローラ７０を備えている。図９に示すように、駆動手段（モータ３０）を制御する制御手段の一部をなすコントローラ７０は、直方体状のケーシング７１の正面に、電源スイッチ７２と、風向切替スイッチ７３と、開度切替スイッチ７４と、を備えている。図１０に示すように、ケーシング７１の背面からコネクタ７５ａ付きの通信ケーブル７５が延設されている。
【００４６】
図６，図７に示すように、ケーシング１０内の下端付近には、駆動手段（モータ３０）を制御する制御手段の一部をなす制御装置８０が配置され、モータ３０と制御装置８０との間には通信ケーブル３３が配線されている。制御装置８０からコネクタ８１ａ付きの通信ケーブル８１が延設され、図１０に示すコントローラ７０から延設された通信ケーブル７５のコネクタ７５ａと、通信ケーブル８１のコネクタ８１ａとが着脱可能に接続されている。なお、本実施形態においては、制御装置８０はケーシング１０内に配置されているが、これに限定するものではないので、ケーシング１０の外部やケーシング１０から離れた位置に配置することもできる。
【００４７】
次に、図１１〜図１９に基づいて、床吹出口１００の使い方及び機能などについて説明する。図１１に示すように、床吹出口１００は、オフィスビルなどの室内の床面に敷設されたフロアパネル１に開設された円形の開口部２から下方に向かってケーシング１０の下端側を挿入した状態で設置される。開口部２の内径は、ケーシング１０の外径より大であるが、ケーシング１０のフランジ１０ｄの外径より小であるため、フロアパネル１上面の開口部２の周縁部分にフランジ１０ｄの下面が当接した状態で設置される。
【００４８】
図９，図１０に示すコントローラ７０の風向切替スイッチ７３を操作すると、モータ３０が作動してシャッタ部材２０が回転方向Ｒ（図５参照）に回転し、図１１に示すように、ケーシング１０の周壁１０ｂ寄りの領域を回転する突起部材２２が、デフレクタ４０から垂下する羽根４１に設けられた脚部４８に当接し、それを回転方向Ｒに押圧するので、脚部４８を有する羽根４１が傾斜するとともに、連接部材４５で繋がれた他の羽根４２，４３も連動して同じ方向に傾斜する。
【００４９】
これにより、複数の羽根４１，４２，４３の間を通過する調和空気の風向が変化するので、吹出グリル６０の複数のスリット６１から吹き出す調和空気の風向を変更（調節）することができる。また、複数の羽根４１，４２，４３は同じ方向に傾斜するので、調和空気の吹出方向に指向性を持たせることが可能である。
【００５０】
突起部材２２が羽根４１の脚部４８に当接した後、コントローラ７０の開度切替スイッチ７４を操作すると、シャッタ部材２０が回転し、突起部材２２と当接した脚部４８は、傾斜姿勢を保った状態で突起部材２２の平面部２２ａが相摺動していくので、脚部４８が平面部２２ａから離脱するまで複数の羽根４１，４２，４３は同様に傾斜姿勢を保ち続けるが、図１３に示すように、ケーシング１０の外通気口１１と、シャッタ部材２０の内通気口２１と、が互いに重なり合う領域（連通領域Ｘ）は徐々に狭まっていく。これにより、連通領域Ｘを通過してケーシング１０内へ流入する調和空気は減少していくので、吹出グリル６０のスリット６１から吹き出す調和空気の風量を減少する。
【００５１】
従って、コントローラ７０の開度切替スイッチ７４を所定位置にセットすれば、シャッタ部材２０の回転は所定位置で停止し、調和空気のケーシング１０内への調和空気の流入量は、ケーシング１０の外通気口１１とシャッタ部材２０の内通気口２１との連通領域Ｘの開口面積に対応した流入量となる。このように、コントローラ７０の開度切替スイッチ７４を操作してシャッタ部材２０の停止位置を変更することにより、吹出グリル６０から吹き出す調和空気の風量を変更（調節）することができる。
【００５２】
図１３に示す状態からさらにシャッタ部材２０を回転させると、図１４に示すように、ケーシング１０の外通気口１１とシャッタ部材２０の内通気口２１との連通領域Ｘは無くなるので、ケーシング１０内へ調和空気が流入しなくなり、吹出グリル６０のスリット６１から調和空気が吹き出さない状態となる。
【００５３】
図１４に示す状態からさらにシャッタ部材２０を回転させると、図１５に示すように、脚部４８から突起部材２２が離脱するので、複数の羽根４１，４２，４３は鉛直下方に垂下した状態となる。
【００５４】
図１５に示す状態からさらにシャッタ部材２０を回転させると、図１６に示すように、突起部材２２は、図１１，図１２に示す状態のときに当接していた脚部４８と軸心１０ｃを挟んで１８０度反対側にある脚部４８に当接するので、複数の羽根４１，４２，４３は図１１と反対側へ傾斜し、吹出グリル６０から吹き出す調和空気の吹出方向が変化する。
【００５５】
このように、本実施形態に係る床吹出口１００は一つの駆動手段（モータ３０）を作動させるという簡単な操作により、調和空気の風向並びに風量を変更（調節）することができる。また、一つのモータ３０で駆動されたシャッタ部材２０の回転により風量並びに風向を変更（調節）可能な機構を設けているため、構造も比較的簡素である。なお、床吹出口１００においてはシャッタ部材２０の回転方向Ｒは一方向であるが、これに限定するものではなく、正回転・逆回転する方式を採用することもできる。
【００５６】
次に、図５，図１８に示すように、床吹出口１００においては、吹出グリル６０は互いに平行をなす複数のスリット６１を有し、吹出グリル６０の外周の下面部分には複数の凹部６２が円周方向に沿って所定間隔をおいて設けられている。また、フェース５０の段差部５１の内周部分に、凹部６２に対して着脱可能に嵌入する凸部５２が設けられている。
【００５７】
従って、吹出グリル６０をフェース５０の段差部５１内に嵌め込むとき、凸部５２が嵌入する凹部６２を選択することにより、フェース５０に対する吹出グリル６０の設置姿勢を、図１９（ａ）〜（ｃ）に示すように、ケーシングの軸心１０ｃ周りの回転方向に変更可能である。
【００５８】
図１９に示すように、フェース５０に対する吹出グリル６０の設置状態をケーシングの軸心１０ｃ周りの回転方向に変更することにより、複数のスリット６１の方向を変化させることができるので、吹出グリル６０から吹き出す調和空気の風向を変更することができる。また、前述したデフレクタ４０による風向調節機能と、吹出グリル６０による風向調節機能とを組み合わせれば、さらに細かな風向調節を行うことができる。
【００５９】
具体的には、スリット６１の長手方向とデフレクタ４０の羽根４１，４２，４３が直交する姿勢に吹出グリル６０を設置すれば、気流はデフレクタ４０の動作によりスリット６１の長手方向に沿った指向性の強い気流となる。また、スリット６１の長手方向とデフレクタ４０の羽根４１，４２，４３とが４５度の関係となるように吹出グリル６０を設置すれば、前述した場合よりも、やや指向性が緩和された気流となり、執務者の好みに応じて気流感を調整することができる。
【００６０】
さらに、フェース５０と吹出グリル６０との接触領域に凸部５２と複数の凹部６２とからなる凹凸嵌合機構を設けることにより、フェース５０に対する吹出グリル６０の設置状態を安定させることができる。
【００６１】
図９，図１０に示すように、床吹出口１００においては、駆動手段であるモータ３０の作動・停止操作などを行うコントローラ７０を備えているため、執務者がコントローラ７０を操作することにより、吹出グリル６０から吹き出す調和空気の風向、風量を執務者の好みに応じて容易に調節することができる。
【００６２】
床吹出口１００においては、吹出グリル６０に接近する人間を識別する識別手段と、識別手段から送信される信号に基づいて吹出グリル６０から吹き出す調和空気の風向、風量の少なくとも一方を予め入力された状態に自動設定する制御手段と、を設けることができる。
【００６３】
このような構成とすれば、床吹出口１００を構成する吹出グリル６０からパーソナル空間に向かって吹き出す調和空気の風向や風量を、個人の好みに応じた状態に自動設定することができる。
【００６４】
床吹出口１００においては、前記識別手段が人間存在を感知すると、モータ３０が作動してシャッタ部材２０を外通気口１１と内通気口２１との少なくとも一部が連通する位置まで回転させて停止する機能と、前記識別手段が人間不在を感知して所定時間経過すると、モータ３０が作動してシャッタ部材２０を外通気口１１と内通気口２１とが連通しない位置まで回転させて停止する機能と、を設けることができる。
【００６５】
このような構成とすれば、吹出グリル６０の近傍に人間が接近すると自動的に調和空気が吹き出す状態となるので利便性が向上し、また、吹出グリル６０の近傍に人間が居なくなった後の不要な空調エネルギをカットすることができるので、省エネを図ることができる。
【００６６】
床吹出口１００においては、前記識別手段として、画像センサ、ＩＣタグ、赤外線センサ、Ｗｉ-Ｆｉ（登録商標）のビーコン検知、着座センサ、空気圧センサ若しくは人感センサのうちの１以上を用いることができる。このような構成とすれば、吹出グリル６０に接近する人間を確実に識別することができ、執務者の滞在時間のみ空調を行うことが可能となり、無駄な空調エネルギをカットすることができる。
【００６７】
床吹出口１００においては、外通気口１１と内通気口２１の少なくとも一部が連通した状態が所定時間連続すると、モータ３０が作動してシャッタ部材２０を外通気口１１と内通気口２１とが連通しない位置まで回転させて停止する自動停止機能を設けることができる。
【００６８】
このような構成とすれば、執務者が気づかないうちに長時間に亘って空調運転を連続すること、所謂、空調の消し忘れを防止することができる。
【００６９】
床吹出口１００においては、コントローラ７０に、外通気口１１と内通気口２１の少なくとも一部が連通した状態が連続し、予め設定された所定時間に近づくと警報を発する機能と、警報を発した後、手動操作により自動停止機能を解除する機能と、を設けることができる。
【００７０】
このような構成とすれば、通常運転状態（外通気口１１と内通気口２１の少なくとも一部が連通した状態）が連続し、予め設定した所定時間（例えば、２時間）が近づいたことを、コントローラ７０が発する警報によって知ることができ、その後は、コントローラ７０の手動操作により、前記自動停止機能を解除して通常運転状態を継続するか、前記自動停止機能により停止するか、を選択することができるので、利便性が向上する。
【００７１】
床吹出口１００においては、吹出グリル６０から吹き出す調和空気の到達領域内に配置された温度センサ、風速センサの少なくとも一方から送信される感知信号に基づいて吹出グリル６０から吹き出す調和空気の風向、風量の少なくとも一方を予め設定された状態にセットする調整手段を設けることができる。
【００７２】
このような構成とすれば、床吹出口１００からパーソナル空間に向かって吹き出す調和空気の風向、風量の少なくとも一方を、パーソナル空間の温度や風速に応じて、予め設定された状態にセットすることができる。
【００７３】
なお、図１〜図１９に基づいて説明した床吹出口１００は、本発明に係る床吹出口の一例を示すものであり、本発明に係る床吹出口は前述した床吹出口１００に限定されない。
【産業上の利用可能性】
【００７４】
本発明に係る床吹出口は、フリーアクセスフロアやＯＡフロアなどを備えたオフィスビルなどにおけるパーソナル空間の空調設備の一部として広く利用することができる。
【符号の説明】
【００７５】
１  フロアパネル
２，１０ａ  開口部
１０  ケーシング
１０ｂ  周壁
１０ｃ，２０ｃ  軸心
１１  外通気口
２０  シャッタ部材
２０ａ  短円筒体
２１  内通気口
２２  突起部材
２２ａ  平面部
３０  駆動手段（モータ）
３１  減速機構
３２  駆動軸
３３，７５，８１  通信ケーブル
４０  デフレクタ
４１，４２，４３  羽根
４４  支軸
４５  連接部材
４６  隔壁部材
４７  通気口
４８  脚部
５０  フェース
５１  段差部
５２  凸部
６０  吹出グリル
６１  スリット
６２  凹部
７０  コントローラ
７１  ケーシング
７２  電源スイッチ
７３  風向切替スイッチ
７４  開度切替スイッチ
７５ａ，８１ａ  コネクタ
８０  制御装置
１００  床吹出口
Ｒ  回転方向
Ｓ，Ｔ  中心角
【図１】
2019190743.tif 000003
【図２】
2019190743.tif 000004
【図３】
2019190743.tif 000005
【図４】
2019190743.tif 000006
【図５】
2019190743.tif 000007
【図６】
2019190743.tif 000008
【図７】
2019190743.tif 000009
【図８】
2019190743.tif 000010
【図９】
2019190743.tif 000011
【図１０】
2019190743.tif 000012
【図１１】
2019190743.tif 000013
【図１２】
2019190743.tif 000014
【図１３】
2019190743.tif 000015
【図１４】
2019190743.tif 000016
【図１５】
2019190743.tif 000017
【図１６】
2019190743.tif 000018
【図１７】
2019190743.tif 000019
【図１８】
2019190743.tif 000020
【図１９】
2019190743.tif 000021